(57)【要約】【課題】  一対の眼鏡レンズが記載されている。【解決手段】  本発明は、第１眼鏡レンズが遠用視力又は近用視力向けに設計され、第２眼鏡レンズがもう１つの物体距離向けに設計されることを特徴とする。
2006510041.tif 000002
【特許請求の範囲】
【請求項１】
第１眼鏡レンズが遠用視力又は近用視力向けに設計され、第２眼鏡レンズがもう１つの物体距離向けに設計されることを特徴とする一対の眼鏡レンズ。
【請求項２】
両方の眼鏡レンズとも単焦点レンズであり、第１眼鏡レンズが遠用値に対応し、第２眼鏡レンズが近用値に対応することを特徴とする請求項１に記載の一対の眼鏡レンズ。
【請求項３】
第１眼鏡レンズがプログレッシブレンズであり、第２眼鏡レンズが主観察作業向けに設計される単焦点レンズであることを特徴とする請求項１に記載の一対の眼鏡レンズ。
【請求項４】
両方の眼鏡レンズともプログレッシブレンズであり、第１眼鏡レンズが遠用視界向けに最適化されていて、もう１つの眼鏡レンズが近用視界向けに最適化されていることを特徴とする請求項１に記載の一対の眼鏡レンズ。
【請求項５】
両方の眼鏡レンズともプログレッシブレンズであり、第１眼鏡レンズが遠用視界向けに最適化されていて、もう１つの眼鏡レンズが近用視界向けに最適化されていること、及び近用値が第１レンズについては減少されていて、遠用値がもう１つのレンズについて増加されていることを特徴とする請求項４に記載の一対の眼鏡レンズ。
【請求項６】
−主観察作業が決められる、
−主力の眼が決められる、及び
−一対の眼鏡レンズが計算される、
ことを特徴とする請求項１〜５のいずれか１項に記載の一対の眼鏡レンズの決定方法。
【発明の詳細な説明】
【技術分野】
【０００１】
本発明は、一対の眼鏡レンズに関するものである。
【背景技術】
【０００２】
収差は周縁部で激しく増加するので、特に、プログレッシブレンズの場合、できる限り最良の両眼視力を得ることが重要である。
【０００３】
先行技術によるプログレッシブレンズの場合、特に、本明細書で、エッシローラ（Ｅｓｓｉｌｏｒ）の特許文献１、ローデンストック（Ｒｏｄｅｎｓｔｏｃｋ）の特許文献２、及びツアイス（Ｚｅｉｓｓ）の特許文献３を参照すると、周縁部での収差を右側眼鏡レンズ及び左側眼鏡レンズに対応する視点で可能な限り等しくすることにより、前記のことを達成しようとする試みがなされている。この結果は、物体を見るときに右眼と左眼が同じ収差を持つことになる。
【０００４】
従って、例えば、不等像症、歪の違い、横方向での異なる視力深度等のような両眼用パラメータが確実に影響を受ける。
【０００５】
対照的に、本発明は、全く別の出発点から着手する。次のように、両眼視力は個々の眼の最大視力より概ね大きいことが知られている（非特許文献１と比較されたい）：視力両眼＞最大（視力右眼、視力左眼）。
【特許文献１】欧州特許出願公開第０９４４３７５号明細書
【特許文献２】国際公開第０１／８４２１３号パンフレット
【特許文献３】米国特許第４，６０６，６２２号明細書
【非特許文献１】［検眼の辞書］、ヘルムート ゲルシュ（Ｈｅｌｍｕｔ Ｇｏｅｒｓｃｈ）、エンケ（Ｅｎｋｅ）出版、第１９８頁
【発明の開示】
【０００６】
従って、本発明の目的は、収差、及び次のように、対応する視点での個々の眼の視力が等しくはなく異なる場合の一対の眼鏡レンズを規定することである。これによる意図は、少なくとも１個の眼鏡レンズに対して多くの視点で可能な限り収差を小さくすることであり、こうして両眼視力を多くの視点で高くすることである。従って、これにより両眼視力は他の両眼用パラメータを犠牲にして好ましくなる。
【０００７】
この目的は、可能な限り大きい両眼視界を得るために、第１眼鏡レンズ（one spectacle lens）が遠用視力又は近用視力向けに設計され、第２眼鏡レンズ（the second spectacle lens）がもう１つの物体距離向けに設計される場合の一対の眼鏡レンズを規定することにより達成される。
【０００８】
１つの実施態様では、両方の眼鏡レンズとも単焦点レンズであり、第１眼鏡レンズが遠用値に対応し、第２眼鏡レンズが近用値に対応する。
【０００９】
もう１つの実施態様の場合、第１眼鏡レンズがプログレッシブレンズであり、第２眼鏡レンズが主観察作業向けに設計される単焦点レンズである。
【００１０】
更に、もう１つの実施態様の場合、両方の眼鏡レンズともプログレッシブレンズであり、第１眼鏡レンズが遠用視界向けに最適化されていて、もう１つの眼鏡レンズが近用視界向けに最適化されている。近用値が第１眼鏡レンズについては減少され、遠用値がもう１つのレンズについては増加される。
【００１１】
本発明の更なる目的は、前述の一対の眼鏡レンズを得るために、一対の眼鏡レンズの決定方法を規定することにある。この目的は、請求項６の特徴を表す部分によって達成される。先ず、主観察作業が決められる。これに続いて、主力の眼が決められ、その後に一対の眼鏡レンズが計算される。
【発明を実施するための最良の形態】
【００１２】
本発明を下記の実施例によって説明するが、本発明の全体概念を制約することなく、例示の実施態様を使い図面を参照しながら、更には、本明細書の中で本発明の全ての詳細が必ずしも説明されているとは限らない開示について明白に言及する。
【００１３】
前述のように、一対の眼鏡レンズを決定するためには、先ず、主観察作業が決められ、次に主力の眼が決められ、その後に一対の眼鏡レンズが計算される。１つの例を下記に詳述する：
主力の眼が右側にあり、主観察作業が遠用視界であり、そして処方は、Ｒ／Ｌ球面屈折力−４ｄｐｔ（ディオプトリ）、加入度２．０ｄｐｔである。
【００１４】
従って、右眼側の結果は、作用球面屈折力−４ｄｐｔを有する単焦点レンズであり、左眼側の結果は、球面屈折力−２ｄｐｔを有する単焦点レンズである。このような一対の眼鏡レンズは最適両眼特性を持たず、両眼視力は全視点で極めて高く、従って両眼視界は極めて広い。勿論、この場合も右側用と左側用とでは異なる処方が適用され得る、或いは、例えば計算機端末又はワークステーション用の眼鏡の場合のように、遠用視界又は近用視界からずれる観察作業にも適用され得る。
【００１５】
各々の場合とも視力は第１眼鏡レンズでは常に最適なので（遠用視界向けにしろ近用視界向けにしろ）、両眼視界は２個の単焦点レンズを使った実施態様のような場合に限定されない。しかしながら、そのときは、残りの両眼結像パラメータは更に強く制約される。
【００１６】
プログレッシブレンズの場合、周縁部で収差が乱れていることが知られている。これは、本発明による更に別の実施態様を使って修正され得る。
【００１７】
２個の単焦点眼鏡レンズの設計の場合に、両眼視力は極めて大幅に制約されるので、従って、片側にはプログレッシブレンズが選択され、もう片側には単焦点レンズが選択される。処方は、前述と同じである。従って、選択値は：右側はプログレッシブレンズ球面屈折力−４ｄｐｔ、加入度２．０；左側は単焦点レンズ球面屈折力−４ｄｐｔとなる。従って、両眼視界は遠用視界では制約されない、そしてしかも、例えば、近用領域と中間領域でメニューを読むこともできる。従って、目的が、制約のない遠用視界を入手することであるならば、及び極短時間の読む作業を行なうためならば、このような一対の眼鏡レンズは理想的な解決策であることが判る。
【００１８】
勿論、本明細書では、全ての考えられる組み合わせも可能である。主観察作業が近用領域内にあれば、近用レンズは左眼側で選択される、或いは主観察作業に更なる重要性を付与したいならば、主力の眼に単焦点レンズを取り付けて、別の眼にはプログレッシブレンズを取り付けることも可能である。
【００１９】
更なる可能性は、２個のプログレッシブレンズを供給することにある。この場合、片側の眼鏡レンズが遠用視界向けに最適化され、片側の眼鏡レンズは近用視界向けに最適化される。従って、この結果は、片側のプログレッシブレンズについては広い遠用領域となり、もう片側のプログレッシブレンズについては広い近用領域となる。従って、この時は、両眼視界は、遠用視界においても近用視界においても極めて大きい。
【００２０】
このことは、片側のプログレッシブレンズについては近用値を減少する（プラス値を小さくする）ことにより及び／又は遠用値を増加することにより、即ち、もう片側のプログレッシブレンズについてはその値をプラス方向に変更させることにより更に増幅され得る。これにより、プログレッシブチャンネルは単眼条件下でも両眼条件下でも拡張される。
【００２１】
この実施例は図２及び３の中で説明されている。次の処方を使用する：
Ｒ／Ｌ 球面屈折力−４．０ｄｐｔ、加入度２．０ｄｐｔ、
主力の眼は右側で、遠用視界で主観察作業。
【００２２】
最適遠用領域及び作用球面屈折力−４．０、加入度１．５を持つプログレッシブレンズは、右側眼鏡レンズ向けに計算され、最適近用領域及び作用球面屈折力−３．５、加入度１．５を持つプログレッシブレンズは、左側眼鏡レンズ向けに計算される。これによって、両眼視界が遠用視界においてばかりでなく近用視界においても、そしてプログレッシブ領域においても著しく拡大される場合の一対の眼鏡レンズが得られる。遠用領域及び近用領域での増加及び／又は減少（実施例における０．５ｄｐｔ）、並びに遠用視界及び／又は近用視界の計算についての選択値は、視界の規模又は両眼視力の関数として自由に選択され得る。増加又は減少は、この場合、必ずしも同じ量が必要であるとは限らない。表１は視界の広さを表している（視力＞０．９）
【００２３】
【表１】
2006510041.tif 000003
【００２４】
本発明による一対の眼鏡レンズの場合、視界は、遠用視界で３８％、中間領域で９％、及び近用領域で４１％拡大される。
【図面の簡単な説明】
【００２５】
【図１】同じプログレッシブレンズが右側と左側で使用される場合の従来のプログレッシブレンズを表わす図である。
【図２】本発明による、右側球面屈折力−４．０ｄｐｔ、加入度１．５ｄｐｔのプログレッシブレンズを表わす図である。
【図３】本発明による、左側球面屈折力−３．５ｄｐｔ、加入度１．５ｄｐｔのプログレッシブレンズを表わす図である。
【図４】図２の右側レンズのサジッタ（ｓａｇｉｔｔａ）を表わす図である。
【図５】図３の左側レンズのサジッタを表わす図である。
【図１】
2006510041.tif 000004
【図２】
2006510041.tif 000005
【図３】
2006510041.tif 000006
【図４】
2006510041.tif 000007
【図５】
2006510041.tif 000008
【国際調査報告】
2006510041.tif 000009
2006510041.tif 000010
2006510041.tif 000011
2006510041.tif 000012
2006510041.tif 000013
2006510041.tif 000014